【手続補正書】
【提出日】平成31年1月7日(2019.1.7)
【手続補正１】
【補正対象書類名】特許請求の範囲
【補正対象項目名】全文
【補正方法】変更
【補正の内容】
【特許請求の範囲】
【請求項１】
少なくとも複数のコンピューティングデバイス、サーバ、ネットワークおよびデータベースを含むシステム内のデータの所有者によって、選択された受信者に対する許可の付与を制御する方法であって、
該サーバにおいて、データベースの所有者の電子ダイアリ部分に記憶されたデータの所有者から電子認証を受信することと、
該サーバにおいて、該所有者によって制御されるデータの特定のカテゴリにアクセスするように招待された１以上の所望の受信者の各々に対応する電子アドレスを受信することと、
該所望の受信者の各々について該データベース内に電子レコードを作成することと、
該受信者によって該招待が受け入れられ、その後承諾される場合、該１以上の受信者が有することになる許可の特定の組み合わせを特定することであって、許可は１つ以上の特定のアクションを実行する能力を提供することと、
該１以上の受信者の各々に対応する該レコード内の該特定の許可を、該受信者の識別子と共に記憶することと、
コンピュータネットワークを介して、該１以上の所望の受信者に電子通信を送信することであって、各電子通信は、該通信に返答するのに用いるための一意のユニフォームリソースロケータを含むことと、
コンピュータネットワークを介して、該１以上の受信者の各々から該招待の受入れまたは拒絶を含む電子メッセージを受信することと、
該受信した電子メッセージが特定の受信者の招待を含む場合、
コンピュータネットワークを介して、該特定の受信者の招待に対応する受入れ通知を該所有者に送信することと、
該サーバにおいて、該所有者から、該特定の受信者に対応する電子アドレスを有するメッセージを受信することであって、該メッセージは、該特定の受信者の受け入れられた招待の承諾、または該特定の受信者の受け入れられた招待のキャンセルのインジケーションを含むことと、
該所有者のデータに対する、所有者により制御される電子アクセスを容易にするために、該特定の受信者に対応するレコードに、該対応する招待の該受信者による該受入れまたは拒絶のインジケータと、該招待が該所有者によってキャンセルされる場合、キャンセルのインジケータと、該招待が該所有者によって承諾される場合、受入れのインジケータとを記憶することと、
を含む、方法。
【請求項２】
前記受信者のうちの１つが組織である場合、前記サーバにおいて、前記所有者が関係者である１つ以上の特定のアクセスグループ、および１人以上のスタッフメンバと、該１人以上のスタッフメンバのための１つ以上の役割と、前記特定の許可が付与されるデータの対応するカテゴリとを特定する１つ以上の電子メッセージを受信する、請求項１記載の方法。
【請求項３】
特定のスタッフメンバは、前記所有者および該スタッフメンバが共通のアクセスグループを共有する場合にのみ、ダイアリにアクセスすることができる、請求項２記載の方法。
【請求項４】
特定のスタッフメンバは、該スタッフメンバが属する全ての役割からの累積的許可に基づいてダイアリにアクセスする、請求項２記載の方法。
【請求項５】
前記特定の許可は、前記所有者のアカウントから前記組織に与えられる許可に制約される、請求項２記載の方法。
【請求項６】
役割は、組織が定義した許可の組み合わせである、請求項２記載の方法。
【請求項７】
アクセスグループは、スタッフおよび所有者をリンク付けするための組織が定義したグループである、請求項２記載の方法。
【請求項８】
前記所有者から、特定の受信者の合意なしで許可を追加または削除するための電子要求を受信することを更に含む、請求項１記載の方法。
【請求項９】
前記選択された受信者による前記付与された許可の使用を更に含み、これは、
前記受信者のうちの特定の受信者から所有者データのグラフィカル表示のための要求を受信することと、
前記特定の受信者のための累積的許可を決定することであって、該特定の受信者が組織の一部である場合、該決定することは、該特定の受信者が前記所有者と共有されるアクセスグループに関連付けられているか否かを判断することを更に含むことと、
前記所有者の電子ダイアリにおける該累積的許可によって特定されるデータを取り出すことと、
前記取り出されたデータのＨＴＭＬベースの画面表示を生成することと、
を含む、請求項１記載の方法。
【請求項１０】
前記ＨＴＭＬベースの画面表示を操作するために前記特定の受信者からナビゲーション要求を受信することを更に含む、請求項９記載の方法。
【請求項１１】
前記ＨＴＭＬベースの画面表示を操作するために前記受信者のうちの特定の受信者からナビゲーション要求を受信することを更に含む、請求項９記載の方法。
【請求項１２】
前記画面表示は、前記受信者のうちの特定の受信者が許可を有する前記カテゴリのためのデータを含み、該画面表示は、該受信者のうちの該特定の受信者が許可を有していない前記カテゴリを示す、請求項９記載の方法。
【請求項１３】
前記ＨＴＭＬベースの画面表示を生成することは、前記累積的許可に対応する各カテゴリについて１つ以上の制御を適用することを含み、各許可されたカテゴリのための前記制御は、他の許可されたカテゴリのための前記制御と独立している、請求項１２記載の方法。
【請求項１４】
前記ＨＴＭＬベースの画面表示を生成することは、単一のカテゴリからのデータに基づいて、１つ以上の所定のテンプレートのタイムラインビューを適用することを含む、請求項９記載の方法。
【請求項１５】
前記ＨＴＭＬベースの画面表示を生成することは、複数のカテゴリからのデータに基づいて、１つ以上の所定のテンプレートのタイムラインビューを適用することを含む、請求項９記載の方法。
【請求項１６】
所定のテンプレートのタイムラインビューが、前記ユーザに許可されていないカテゴリからのデータに対するアクセスを必要とする場合、前記ビューは表示されず、ユーザが通知を受ける、請求項１５記載の方法。
【請求項１７】
日、週、月または年、および前記集約レベル選択に対応する開始日または終了日からの集約レベル選択を含むタイムライン表示の要求を受信することと、
該受信した要求に従って２つの行部分を有する、単一水平のカレンダバーをレンダリングすることであって、最下行部分は、該集約レベル選択に対応する該開始日または該終了日に従って日付を有する一連のブロックを表示し、最上行部分は、該選択された集約レベルに一連のドットを表示し、ここで、明るいドットは、該選択された集約レベルにおける期間にわたる所有者データの欠如を表し、暗いドットは、該期間にわたる所有者データの存在を表すことと、
を更に含む、請求項９記載の方法。
【請求項１８】
前記カレンダバーの前記最上行部分は、前記最下行部分における前記日付に対応する前記ドットにわたって強調されたブロックを更に表示し、カーソルが該最上行部分の別の部分上をホバリングするように動かされる場合、ホバリングカーソルの位置に対応して別の強調されたブロックが表示され、該ホバリングカーソルの該位置においてクリックイベントが受信される場合、前記タイムラインが、該クリックの日付に対応し、前記選択された集約レベルに従うデータを表示し、前記ドットは、該選択された集約レベルに従って、均一に離間された間隔で表示される、請求項１７記載の方法。
【請求項１９】
前記データのカテゴリは、薬剤、運動、睡眠、病気、および性の健康を含む、請求項２記載の方法。
【請求項２０】
前記データのカテゴリは、医療記録、症状および／またはバイタルサイン、薬剤および／または実験結果、感情、ライフイベント、遺伝子マーカおよびライフスタイルを含む、請求項２記載の方法。
【請求項２１】
前記受信者は、ビジタ、スタッフメンバおよび所有者／ビジタのうちの１つである、請求項１記載の方法。
【請求項２２】
前記ビジタは、読み出しおよび／または書き込み権限を有するゲスト（１）、および／または完全な所有者権限を有する保護者（２）のうちの一方である、請求項２１記載の方法。
【請求項２３】
前記スタッフメンバは組織に属するユーザである、請求項２記載の方法。
【請求項２４】
前記所有者／ビジタは、ダイアリを有する所有者であり、かつ別の所有者のダイアリに対するアクセスも付与されている、ユーザである、請求項２１記載の方法。
【請求項２５】
許可ステータスは、取得、受信および受入れを含む、請求項１記載の方法。
【請求項２６】
許可の種類は、読み出し、書き込みおよびアクセスなしを含む、請求項１記載の方法。
【請求項２７】
特定の所有者に対応するソース文書をスキャンすることと、
該スキャンされた文書から、前記ソース文書への参照を含む医療データを抽出することと、
該ソース文書を、特定の所有者のダイアリと別個の電子ストレージに記憶することと、
該抽出された医療データおよび該ソース文書への該参照を、該抽出されたデータのカテゴリに基づいて該特定の所有者のダイアリに記憶することであって、該記憶された参照は、ユーザが該抽出されたデータを閲覧して該ソース文書にナビゲートし、該ソース文書を閲覧することを可能にすることと、
を更に含む、請求項１記載の方法。
【請求項２８】
前記所有者は、前記アカウントにアクセスするためにログインを必要とするオンラインアカウントを有し、前記１以上の所望の受信者の各々は、オンラインアカウントを開くかまたは特定のユーザのためのオンラインアカウントにログインするための要求へのリンクを有する電子通信を受信し、各受信者アカウントおよび前記所有者アカウントはそれぞれ、特定の受信者が前記招待を受け入れるかまたは拒絶するかのインジケーションを記憶し、該特定の受信者が該招待を受け入れた場合、対応する特定の受信者アカウントおよび該所有者アカウントはそれぞれ、該所有者が該招待をキャンセルしたか、または該招待を承諾したかのインジケータおよび招待プロセスが完了したことのインジケータを記憶する、請求項１記載の方法。
【請求項２９】
前記特定の受信者による前記招待の前記受入れ時に、前記所有者が該招待をキャンセルまたは承諾する前に、対応する特定の受信者アカウントおよび前記所有者アカウントが、前記招待プロセスが未解決であることのインジケータを記憶し、該特定の受信者による該招待の前記拒絶時に、該対応する特定の受信者アカウントおよび該所有者アカウントは、該招待プロセスが完了したことのインジケータを記憶する、請求項１記載の方法。
【請求項３０】
前記特定の受信者による前記招待の前記拒絶時に、該特定の受信者による該拒絶の通知を提供する電子通信が前記所有者に送信され、該特定の受信者による該招待の前記受入れ時に、該特定の受信者による該受入れの通知を提供する電子通信が該所有者に送信される、請求項１記載の方法。
【請求項３１】
前記所有者または保護者は、該所有者による前記招待の承諾時に前記受信者のうちの少なくとも１つが有することになる許可の前記特定の組み合わせよりも多くの許可の特定の組み合わせを有する、請求項１記載の方法。
【請求項３２】
データの所有者によって、選択された受信者に対する許可の付与を制御するためのシステムであって、少なくとも複数のクライアントコンピューティングデバイス、サーバおよびデータベースを含み、
サーバにおいて、データベースの所有者の電子ダイアリ部分に記憶されたデータの所有者に対応するクライアントコンピューティングデバイスから電子認証を受信する手段と、
該サーバにおいて、該所有者によって制御されるデータの特定のカテゴリにアクセスするように招待された１以上の所望の受信者クライアントコンピューティングデバイスの各々に対応する電子アドレスを受信する手段と、
該所望の受信者の各々について該データベース内に電子レコードを作成する手段と、
該受信者によって該招待が受け入れられ、その後承諾される場合、該１以上の受信者が有する許可の特定の組み合わせを特定する手段であって、許可は１つ以上の特定のアクションを実行する能力を提供する、手段と、
該１以上の受信者の各々に対応する該レコード内の該特定の許可を、該受信者の識別子と共に記憶する手段と、
該１以上の所望の受信者クライアントコンピューティングデバイスに電子通信を送信する手段であって、各電子通信は、該通信に返答するのに用いるための一意のユニフォームリソースロケータを含む、手段と、
該１以上の受信者クライアントコンピューティングデバイスの各々から該招待の受入れまたは拒絶を含む電子メッセージを受信する手段と、
該受信した電子メッセージが特定の受信者の招待の受入れを含むとき、該特定の受信者の招待に対応する受入れ通知を該所有者に対応する該クライアントコンピューティングデバイスに送信する手段と、
該受入れ通知が送信されたとき、該所有者に対応する該クライアントコンピューティングデバイスから、該特定の受信者に対応する電子アドレスを有するメッセージを受信する手段であって、該メッセージは、該特定の受信者の招待の承諾、または該特定の受信者の招待のキャンセルのインジケーションを含む、手段と、
該所有者のデータに対する、所有者により制御される電子アクセスを容易にするために、該特定の受信者に対応するレコードに、該対応する招待の該受信者による該受入れまたは拒絶のインジケータと、該招待が該所有者によってキャンセルされる場合、キャンセルのインジケータと、該招待が該所有者によって承諾される場合、受入れのインジケータとを記憶する手段と、
を備える、システム。
【請求項３３】
データの特定の所有者は、該特定の所有者に対応する複数のクライアントコンピューティングデバイスを有する、請求項３２記載のシステム。
【請求項３４】
所有者ダイアリ内に配列されたデータの所有者によって、選択された受信者に対する許可の付与を制御するためのシステムであって、少なくとも複数のクライアントコンピューティングデバイスおよびサーバを含み、
該データの特定の所有者からの招待が組織の管理者によって受け入れられる場合、該組織が有する許可を特定する手段であって、許可は、１つ以上の特定のアクションを実行する能力を提供する、手段と、
少なくとも、該所有者の各々に対応するクライアントコンピューティングデバイスからの招待、および該組織の該管理者に対する許可の対応する組み合わせを含む電子通信を送信する手段であって、各電子通信は、該通信に返答する際に用いるための一意のユニフォームリソースロケータを含む、手段と、
１つ以上の組織が定義したアクセスグループへの該所有者の各々の割り当てを受信する手段と、
１つ以上のアクセスグループに対する、特定の所有者および該組織の１人以上の選択されたスタッフメンバのマッピングを受信して、該特定の所有者および該選択されたスタッフメンバをリンク付けする手段と、
該組織の該スタッフメンバに対応する少なくとも１つの役割の識別情報を受信する手段と、
該少なくとも１つの役割に対する、該組織の該１人以上の選択されたスタッフメンバの割り当てを受信する手段と、
特定の所有者および該選択されたスタッフメンバを有する１つ以上のアクセスグループに従って、かつ該選択されたスタッフを有する該特定の所有者のための該少なくとも１つの役割に従って、該所有者の各々のための該選択されたスタッフメンバに特定の許可を付与する手段と、
各所有者のデータに対する、所有者により制御される電子アクセスを容易にするために、該所有者の各々のための該招待の該受入れまたは拒絶のインジケータ、該選択されたスタッフメンバの各々の識別子、および各所有者のための該選択されたスタッフメンバの各々に付与された許可の対応する組み合わせを記憶する手段と、
を備える、システム。
【請求項３５】
データの特定の所有者は、該特定の所有者に対応する複数のクライアントコンピューティングデバイスを有する、請求項３４記載のシステム。